(57)【特許請求の範囲】
【請求項１】
樹脂製基材の上面に１０〜１０００μｍの細かな凹凸を形成し、または、基材上面に砂のような細かな粒状物質を貼り付けて１０〜１０００μｍの細かな凹凸を形成して、ザラザラに粗くした表面粗さの粗面からなるゴキブリ用定着材であって、かつ、設置場所に合わせて自由に切断して全体形状を調整できるものであることを特徴とするゴキブリ用定着材。
【請求項２】
誘引毒餌剤を中央近傍に置いてなることを特徴とする請求項１記載のゴキブリ用定着材。
【発明の詳細な説明】
【技術分野】
【０００１】
本発明は、ゴキブリの移動を抑制して（所定の領域に居続けさせて）捕獲・駆除するためのゴキブリ用定着材、ゴキブリ駆除装置およびゴキブリ駆除方法に関する。
【背景技術】
【０００２】
従来から、誘引毒餌剤を用いて、ゴキブリ等の害虫を死滅させて駆除することが行われており、例えば、摂食物質の表面に溝、筋、網目模様等を付して、害虫が食し易いように工夫されているものが知られている（例えば、特許文献１参照）。
【０００３】
また、台所には、水、餌が豊富にあるとともに、台所の諸設備により発せられる熱により、年間を通じて適度な温度があることから、暖かいところを好むゴキブリ等の害虫が繁殖しやすい環境となっている。このため、台所においてゴキブリ等の害虫が繁殖するのを防止するために、台所に忌避剤や駆除剤を配置したり、電気機器（冷蔵庫など）に忌避剤や駆除剤を収容する収容容器を設けたりすることが提案されている（例えば、特許文献２参照）。
【０００４】
【特許文献１】実開昭６０−１１０４０２号公報
【特許文献２】特開２００５−１３２０９号公報
【発明の開示】
【発明が解決しようとする課題】
【０００５】
しかしながら、上記特許文献１に記載されたような誘引毒餌剤は、通常いろいろな場所に多数配置して、ゴキブリ等の害虫が有効量を喫食するようにしなければならず使い勝手が悪かった。また、製剤によっては効果が十分ではなかったり、或いはカビが発生して不衛生となったりする問題があった。
【０００６】
また、上記特許文献２に記載の技術においては、冷蔵庫の機械室等に別途収容容器を設けなければならず、コストアップを招くという問題があった。また、後で取付けることも難しく、取付けた場合においても収容容器内に捕獲したゴキブリ等の死骸が溜まって不衛生であるという問題があった。
【０００７】
本発明は、前述した事情に鑑みてなされたものであり、その目的は、低コストで簡単な構造によりゴキブリの捕獲・駆除効率を向上させて衛生を確保することができるゴキブリ用定着材、ゴキブリ駆除装置およびゴキブリ駆除方法を提供することにある。
【課題を解決するための手段】
【０００８】
本発明の発明者らは、鋭意検討の結果、今まだ知られることがなかったゴキブリの生物学的特徴、即ちゴキブリが粗面に居続ける（定着する）習性を有することを見出した。即ち、前述した本発明の目的は、その習性を利用した下記の構成により達成される。
【０００９】
（１） 樹脂製基材の上面に１０〜１０００μｍの細かな凹凸を形成し、または、基材上面に砂のような細かな粒状物質を貼り付けて１０〜１０００μｍの細かな凹凸を形成して、ザラザラに粗くした表面粗さの粗面からなるゴキブリ用定着材であって、かつ、設置場所に合わせて自由に切断して全体形状を調整できるものであることを特徴とするゴキブリ用定着材。
（２） 誘引毒餌剤を中央近傍に置いてなることを特徴とする上記（１）に記載のゴキブリ用定着材。
【００１０】
上記（１）の構成のゴキブリ用定着材によれば、ゴキブリは本発明のゴキブリ用定着材の上を通行すると、その習性により、粗面である表面に居続けようとし、そこからの移動が抑制される。即ち、ゴキブリはゴキブリ用定着材の上で移動を止めるので、例えばゴキブリ用定着材の近辺に誘引毒餌剤を置いておけば、この誘引毒餌剤を喫食する確率が高くなる。また、誘引剤を配置した収容容器をゴキブリ用定着材の近傍におけば、ゴキブリがこの誘引剤に誘引されて収容容器内に進入する確率が高くなる。このため、表面が粗面であるだけの安価で簡単な構造のゴキブリ用定着材を用いることにより、捕獲・駆除効率を向上させて衛生を確保することができる。
また、上記（２）の構成のゴキブリ駆除装置によれば、ゴキブリ駆除装置の、例えば入り口や周囲にゴキブリ用定着材を配置したので、ゴキブリ駆除装置の近辺を通行しようとしたゴキブリはゴキブリ用定着材の上を通行して、その習性により、粗面である表面に居続けようとし、そこからの移動が抑制される。即ち、ゴキブリはゴキブリ用定着材の上で移動を止めるので、ゴキブリ駆除装置に配されている誘引毒餌剤に誘引されて収容容器内に進入する確率が高くなるとともにこの誘引毒餌剤を喫食する確率が高くなる。或いは、ゴキブリ駆動装置に粘着部材を配した場合には、ゴキブリ駆除装置のケース内部に進入し、この粘着部材によって捕獲される確率が大きくなる。このため、表面が粗面であるゴキブリ用定着材を用いた安価で簡単な構造のゴキブリ駆除装置を用いることにより、捕獲・駆除効率を向上させて衛生を確保することができる。
そして、上記（３）の構成のゴキブリ駆除方法によれば、表面が粗面であってゴキブリが居続けるゴキブリ用定着材をゴキブリが通行する可能性がある場所に配置するので、ゴキブリはゴキブリ用定着材の上を通行する際に、その習性により、ゴキブリ用定着材の上に居続けようとし、そこからの移動が抑制される。このとき、ゴキブリ用定着材の近辺や上にゴキブリ駆除装置を配置しているので、ゴキブリがゴキブリ駆除装置の誘引毒餌剤に誘引されて、この誘引毒餌剤を喫食して死滅する確率が高くなる。或いは、ゴキブリ駆除装置の粘着部材によって捕獲される確率が大きくなる。これにより、安価で簡単な構造のゴキブリ用定着材を用いることにより、捕獲・駆除効率を向上させて衛生を確保することができる。
【発明の効果】
【００１１】
本発明によれば、ゴキブリはゴキブリ用定着材の上で移動を止めるので、ゴキブリ用定着材の近辺に、誘引毒餌剤を置いておく、又は粘着部材を配置させることにより、この誘引毒餌剤を喫食する確率又は粘着部材による捕獲・駆除確率が高くなる。また、誘引剤を配置したゴキブリ駆除装置をゴキブリ用定着材の近傍や上に置けば、ゴキブリがこの誘引剤に誘引されて収容容器内に進入する確率が高くなる。さらに、粘着部材を配置したゴキブリ駆除装置をゴキブリ用定着材の近傍や上に置けば、粘着部材との接触確率が高くなって捕獲・駆除確率が高くなる。
このため、表面が粗面であるだけの低コストで簡単な構造により、ゴキブリの捕獲・駆除効率を向上させて衛生を確保することができるゴキブリ用定着材、ゴキブリ駆除装置およびゴキブリ駆除方法を提供することができる。
【発明を実施するための最良の形態】
【００１２】
以下、本発明に係る好適な実施形態について、図面を参照しながら詳細に説明する。
なお、図１（Ａ）は本発明のゴキブリ用定着材に係る実施形態を示す斜視図であり、（Ｂ）は拡大断面図であり、図２はゴキブリ用定着材の上にゴキブリ駆除装置を配置した状態を示す斜視図であり、図３は本発明にかかるゴキブリ用定着材を使用した場合と使用しない場合を比較する平面図であり、図４（Ａ）および（Ｂ）は図３の実験の比較結果を示す表であり、図５は図３の実験の比較結果を示す表であり、図６（Ａ）〜（Ｃ）はゴキブリ駆除装置の変形例を示す斜視図であり、図７はゴキブリ用定着材のうえにゴキブリの誘引毒餌剤を含んだ摂食物質を配置した状態を示す斜視図である。
【００１３】
図１に示すように、本発明の実施形態にかかるゴキブリ用定着材１０は、板状の基材１１の少なくとも上面に粗面（ざらざら面）１２が形成されている。
なお、基材１１としては、紙、布、不織布、樹脂、木材、金属、セラミック等を例示することができるが、薄いもの、軽いもの、或いはやわらかいものなどが取り扱い容易なので好適である。また、システムキッチンや給食設備等の一部の表面に直接粗面１２を設けることもできる。
紙としてはサンドペーパ、木材としてはベニヤ板が好適である。
【００１４】
基材１１の表面に粗面１２を形成するには、基材１１として樹脂を用いる場合には基材１１自身の上面に細かな凹凸を形成してざらざらに粗く形成することができる。あるいは、サンドペーパように、基材１１の上面に、砂のような細かな粒状物質を噴射するなどして貼り付けて形成することもできる。
なお、ゴキブリ用定着材１０の全体形状は、設置場所に合わせて切断して自由に調整できるものがよい。
【００１５】
ゴキブリ用定着材１０は、ゴキブリの餌となる物質が多い場所の、ゴキブリの通行する可能性が高い場所、例えば台所や給食センター等の流し台、食器棚、食器ケース、食品ケース、ごみ箱、隙間ラック、収納家具等に配置して使用される。ゴキブリ用定着材１０の上をゴキブリが通行すると、ゴキブリはゴキブリ用定着材１０の粗面１２に居続けようとして、そこからの移動が抑制される。
【００１６】
そこで、図２に示すように、ゴキブリ用定着材１０の上にゴキブリ駆除装置２０を配置する。ここで、ゴキブリ駆除装置２０としては、誘引毒餌剤１３によりゴキブリを死滅させて駆除するもの、あるいは内部に進入したゴキブリを粘着部材２８や幾何学的形状又は粘着部材２８等により外部に出られなくして捕獲して駆除するもの、さらに誘引毒餌剤１３および粘着部材２８等を併用するものがある。
ここでは、いずれのタイプにおいても同様の作用効果を有するので、以後、誘引毒餌剤１３によりゴキブリを死滅させて駆除するゴキブリ駆除装置２０を主に例示して説明することとし、特に異なる事項については、別途説明することとする。
【００１７】
ゴキブリ駆除装置２０は、少なくとも１個の入り口２５（図２においては前後面と左右両面の４個）を有する全体矩形の箱状の筐体（ケース）２１を有しており、底部２２、側壁２３、２３、蓋部２４を有している。筐体２１内部の底部２２上に粘着部材２８が付設されており、当該粘着部材２８上の中央部に、誘引毒餌剤１３が配置されている。
【００１８】
誘引毒餌剤１３は、以下の各種成分を用いて製造することができる。
例えば、タンパク質、炭水化物、脂質などの少なくとも1種からなるものが挙げられる。タンパク質としては、動物性タンパク質や植物性タンパク質があるが、どちらでも良い。動物性タンパク質の例としては、アクチン、アルブミン、カゼイン、フィブリン、フィブリノーゲン、ケラチン、グロブリン(α、β、γ)、ヘモグロビン、ミオシンなど、あるいはフィッシュソリュブル、イナゴ、バッタ、カマキリ、コオロギ、ハチ、アブラムシ、ゴキブリ、チョウ、ガ、ハエ、アカムシ、ミールワーム、魚のエサ(ミミズ、ゴカイなど)、内臓(レバーなど)、タマゴ、魚粉、サナギ、オキアミ、エビ、ミルク、チーズ、飼料用酵母、馬肉などから得られる固体(粉体など)および液状物、その他の生物体の粉やその抽出物、酵素分解物などが挙げられる。
【００１９】
また、植物性タンパク質としては、エデスチン、ゼイン、グリアジン、アラチン、ツェイン、グルテンなど、あるいはジャガイモ、サツマイモ、トウモロコシなどのデンプン粉、小麦粉、米粉、フスマ、大豆、綿実、菜種、ゴマ、粟、ヒエ、タマネギ、バナナなど、そして落花生、カボチャ種、ソラマメなどから得られる固体(粉体など)および液状物がある。またこれらの植物性タンパク質の加工物、即ち米ぬか、酒粕、ゴマ油粕、オカラ、ビールなど、さらに穀類の脱脂粕を酸分解後中和した組成物などが挙げられる。
【００２０】
また、炭水化物としては、例えば果汁、ハチミツ、廃糖蜜、砂糖きび、パラチノース、トレハロース、ソホロース、ツラノース、ラミナリビオース、ニゲエロース、セルビオース、キシロビオース、ロイクロース、ゲンチオビオース、メルビオース、ルチノース、プリムベロース、ビシアノース、ロビノース、Ｎ−アセチルグルコサミン、ガラクツロン酸、マンノース、キシロース、アラビノース、グルクロン酸、グルコサミン、ショ糖、ブドウ糖、果糖、乳糖、黒砂糖、赤砂糖、三温糖、グラニュウ糖、麦芽糖、アラビノース、ガラクトース、ソルビトール、グリセリンなどが挙げられる。
【００２１】
また、脂質としては、植物性油や動物性油がある。植物性油としては例えば、木ロウ、ヤシ油、カカオ油、コーン油、ヌカ油、ナタネ油、ゴマ油などの植物油、ヒマシ油、オリーブ油、落花生油などの不乾性油、アマニ油、キリ油、麻実油、エノ油などの乾性油があげられる。また、動物性油としては例えば、哺乳類油である体脂、バター脂、脚脂、そして鳥類、爬虫類、両生類、昆虫などから得られる油、鯨油、イルカ油、イワシ油、ニシン油、タラ肝油、サメ肝油、イカ油、ハマグリ油、卵油および酵母または細菌などが生産する油脂、例えば米コウジや麦コウジ等の醗酵物などがあげられる。
【００２２】
前記タンパク質、炭水化物及び脂質は、単一の物質に存在することはあまりなく共存することが多いので、実際上は前記の例示した各物質に一緒に含まれていることが多く、1つの物質をこれらの成分の混在する材料として使用することがある。また、タンパク質、炭水化物及び脂質の混合割合が特定の範囲にあるものが害虫に対してその誘引作用が大きいことが多い。
【００２３】
害虫を誘引する物質としては天然物質、例えば昆虫または昆虫由来の生体物質、好ましくは膜翅目及び半翅目昆虫の各発育段階の生体物質が適している。生体物質の場合には、その乾燥物、冷凍乾燥物、破砕物そして抽出物を固形、粉末、液状などの形態で利用することができる。この物質は特に害虫について高嗜好性であって、害虫の誘引性に優れている。さらに、前記の誘引物質を組成するに適したタンパク質の一例を上げて説明すると、そのアミノ酸組成中に、１．０〜１．５重量％のトリプトファンを必要とし、主成分として９重量％以上のグルタミン酸及びアスパラ酸を含み、５重量％以上のレクチン、プロリン、グリシン、リジン、バリン、アラニン、チロシン、アルギン、イソレクチン及びその他のアミノ酸成分の少なくとも1種以上よりなるものである。
【００２４】
また、前記天然物質と併用できる害虫誘引物質としては、例えば脂肪酸のメチルまたはエチルエステル、飽和または不飽和アルコール、非還元性デンプン加水分解物、シクロヘキシル基を持つカルボン酸エステル、芳香性を持つ脂肪酸ケトン、アルコール、アルデヒド、ラクトン、エステル、アロエまたはユーカリ植物およびその抽出物、炭素数7ないし9のケトン、バニリン、エチルバニリン、イソバニリン、ピペロナール、ピペロナールアセトン、２．６−ノナジエーテルなど、また例えば道しるベフェロモンとして知られるもの、即ち、（３Ｓ，４Ｒ，６Ｅ，１０Ｚ）−３，４，７，１１−テトラメチルートリデカー６，１０−ジエナール、（Ｚ）−９−ヘキサデセナール、２，５−ジメチルピラジン、３−メチル−２，５−ジメチルピラジン、Ｚ，Ｅ−α−フラネセン、Ｅ，Ｅ−α−フラネセンなどが挙げられる。
【００２５】
そして、ゴキブリ駆除薬剤としては、従来からの害虫防除成分、即ち殺虫剤、または該殺虫剤とその共力剤の少なくとも一種以上を、対象害虫が摂食によりその致死量以上が体内に摂取される量を配合すればなんら制限されない。そして、該殺虫剤としては、ピレスロイド系殺虫剤、有機リン系殺虫剤、カーバメイト系殺虫剤、その他の殺虫剤および共力剤などが挙げられる。また、それらの具体例としては、以下のものがある。
害虫防除成分としては、ゴキブリに対して殺虫効果を有する成分であればよく、例えば、除虫菊エキス、天然ピレトリン、プラレトリン、イミプロトリン、フタルスリン、アレスリン、トランスフルトリン、ビフェントリン、レスメトリン、フェノトリン、シフェノトリン、ペルメトリン、サイパーメスリン、エトフェンプロックス、シフルスリン、デルタメスリン、ビフェントリン、フェンバレレート、フェンプロパトリン、エムペンスリン、シラフルオフェン、メトフルトリン、プロフルトリン等のピレスロイド系化合物、フェニトロチオン、ダイアジノン、マラソン、ピリダフェンチオン、プロチオホス、ホキシム、クロルピリホス、ジクロルボス等の有機リン系化合物、カルバリル、プロポクスル、メソミル、チオジカルブ等のカーバメート系化合物、メトキサジアゾン等のオキサジアゾール系化合物、フィプロニル等のフェニルピラゾール系化合物、アミドフルメト等のスルホンアミド系化合物、ジノテフラン、イミダクロプリド等のネオニコチノイド系化合物、メトプレン、ハイドロプレン、ピリプロキシフェン等の昆虫成長制御化合物、クロルフェナピル等のピロール系化合物等、ロテノン、ディート、Ｐ−メンタン−３，８−ジオール、エチルーブチルアセチルアミノプロピオネート、ヒドロキシアニソール、ベンジルアルコール、ハッカ油、シトロネラ油、ユーカリ油、ゲラニウム油、蚊連草等の1種又は２種以上が挙げられる。
【００２６】
また、粘着部材２８に用いられる粘着剤としては、透明または半透明であり、加えて常温で粘着性を有する不乾性のものでかつ常温で流動性のないものであれば本発明おいて何ら制限されるものではない。
例えば、天然ゴム、合成ゴム、エチレン−酢酸ビニル共重合体、ポリイソブチレン、ポリブテン、アタクチックポリプロピレンおよびその他の液状重合体、石油樹脂などの粘着付与樹脂などを単独あるいは適宜溶剤の存在下もしくは無溶剤で加熱によりあるいはラテックス、エマルジョン状態で混合して、塗布して用いることができる。特に、スチレン−ブタジエンブロックポリマー、及び／又はエチレン−酢酸ビニル共重合体などと粘着付与樹脂、可塑剤との組み合わせ、ポリイソブチレンと液状ポリブテンおよびアタクチックポリプロピレンの組み合わせなどは無溶剤系で加熱混合ができ、そのまま塗布できることなど、粘着特性ばかりか作業性の面からも好ましいものである。
これらの材料により粘着部材２８に塗布される粘着剤の粘度は例えばＪＩＳ Ｋ−６８３３（１９８０）に準拠する測定方法により測定され１３０℃で２５００〜３３００Ｐの間の粘着物質であればよいが、特にこの範囲には限定されない。
【００２７】
このように、ゴキブリ駆除装置２０の周囲にゴキブリ用定着材１０を配置したので、ゴキブリ駆除装置２０の近辺を通行しようとしたゴキブリはゴキブリ用定着材１０の上を通行し、その習性により、粗面１２である表面に居続けようとし、そこからの移動が抑制される。即ち、ゴキブリはゴキブリ用定着材１０の上で移動を止めるので、ゴキブリ駆除装置２０に配されている誘引毒餌剤１３に誘引されて収容容器である筐体２１内に進入する確率が高くなる。これに伴い、この誘引毒餌剤１３を喫食する確率や、粘着部材２８により捕獲される確率が高くなる。このため、表面が粗面１２であるゴキブリ用定着材１０を用いることにより、安価で簡単な構造のゴキブリ駆除装置２０による捕獲・駆除効率を向上させて衛生を確保することができる。
【００２８】
図３には、本発明にかかるゴキブリ用定着材１０を使用した場合と使用しない場合を比較した実験例が示されている。一方には本発明にかかるゴキブリ用定着材１０としてのベニヤ板（化粧板の裏）１０Ａの上にゴキブリ駆除装置２０を配置し、他方にはつるつるの表面を有する化粧板（表）１４の上にゴキブリ駆除装置２０を配置した。両ゴキブリ駆除装置２０、２０はまったく同じものであり、見やすいように透明の円形ドーム型の筐体２１を有して、複数の入り口を有している。また、筐体２１の内部には、粘着部材２８は付設されず、誘引剤１３として角砂糖がそれぞれ配置されている。
【００２９】
このような状態で、ゴキブリＧを放ち、暗室下で数日間放置後、筐体２１内に収容されたゴキブリＧをカウントした。なお、ゴキブリＧとしてクロゴキブリ（Ｐｅｒｉｐｌａｎｅｔａ ｆｕｌｉｇｉｎｏｓａ)を用いた場合には１ｍ×１ｍの試験箱にオス・メス各２５匹を放ち、一方チャバネゴキブリ(Ｂｌａｔｔｅｌｌａ ｇｅｒｍａｎｉｃａ)を用いた場合には５０ｃｍ×５０ｃｍの試験箱にオス・メス各３０匹を放して実験を行った。
【００３０】
実験の結果から、図４（Ａ）および（Ｂ）に示すように、クロゴキブリおよびチャバネゴキブリの両方について、ともにつるつる面を用いた場合に比して、ゴキブリ用定着材１０を用いた場合の方が、多くのゴキブリが捕獲されることが示されている。
【００３１】
また、図３に示した同様の状態で、一方には本発明にかかるゴキブリ用定着材１０としてのサンドペーパ（１２０＃）の上にゴキブリ駆除装置２０を配置し、他方にはつるつるの表面を有する黒紙１５の上にゴキブリ駆除装置２０を配置した。また、先の実験と同じく、両ゴキブリ駆除装置２０、２０はまったく同じものであり、見やすいように透明の筐体２１を有している。また、筐体２１の内部には、粘着部材２８は付設されず、誘引剤１３として角砂糖がそれぞれ配置されている。
【００３２】
この状態で、チャバネゴキブリをオス・メス各３０匹放ち、暗室下で数日間放置後、筐体２１内に収容されたゴキブリＧをカウントした。
【００３３】
実験の結果、図５に示すように、つるつる面を有する黒紙１５を用いた場合に比較して、ゴキブリ用定着材１０としてのサンドペーパを用いた場合の方が、多くのゴキブリが捕獲されることがわかる。
【００３４】
このように、本発明にかかるゴキブリ駆除方法では、前述したゴキブリ用定着材１０およびゴキブリ駆除装置２０を用いて、ゴキブリが通行する可能性がある場所に表面が粗面１２であってゴキブリが居続け、そこからの移動が抑制されるゴキブリ用定着材１０を配置し、ゴキブリ用定着材１０の近辺や上に誘引毒餌剤１３を配置してゴキブリを死滅させて捕獲し、ゴキブリ駆除装置２０を廃棄することによりゴキブリを駆除する。
【００３５】
あるいは、前述したゴキブリ用定着材１０およびゴキブリ駆除装置２０を用いて、ゴキブリが通行する可能性がある場所に表面が粗面１２であってゴキブリが居続け、そこからの移動が抑制されるゴキブリ用定着材１０を配置し、ゴキブリ用定着材１０の近辺や上に粘着部材２８を配置してゴキブリを粘着して捕獲し、ゴキブリ駆除装置２０を廃棄することによりゴキブリを駆除する。
【００３６】
以上、説明したゴキブリ用定着材１０、ゴキブリ駆除装置２０およびゴキブリ駆除方法によれば、ゴキブリはゴキブリ用定着材１０の上を通行しようとすると、その習性により粗面１２である表面に居続けようとし、そこからの移動が抑制される。即ち、ゴキブリはゴキブリ用定着材１０の上で移動を止めるので、例えばゴキブリ用定着材１０の近辺に誘引毒餌剤１３を置いておけば、この誘引毒餌剤１３を喫食する確率が高くなる。また、ゴキブリ駆除装置２０をゴキブリ用定着材１０の近傍におけば、ゴキブリが筐体２１内に進入する確率が高くなり、例えば粘着部材２８により捕獲される確率が高くなる。
このため、表面が粗面１２であるだけの安価で簡単な構造のゴキブリ用定着材を用いることにより、捕獲効率を向上させることができ、衛生を確保することができる。
【００３７】
なお、本発明のゴキブリ用定着材、ゴキブリ駆除装置およびゴキブリ駆除方法は、前述した実施形態に限定されるものでなく、適宜な変形，改良等が可能である。
図６（Ａ）〜（Ｃ）には、ゴキブリ駆除装置２０の変形例が示されている。前述したゴキブリ駆除装置２０では、筐体２１にはざらざら表面の粗面１２が設けられずに、筐体２１をゴキブリ用定着材１０の粗面１２の上に配置している。
【００３８】
一方、図６（Ａ）に示すゴキブリ駆除装置２０Ｂでは、筐体２１の前後面および左右両側面の４箇所の入り口２５付近に粗面２６を展開することができるように、筐体２１を形成している台紙に粗面２６を設けたものである。使用前には、粗面２６は筐体２１の下面側へ折り返しておき、使用時に図６（Ａ）に示すように、入り口２５付近に展開する。
したがって、このゴキブリ駆除装置２０Ｂでは、前述したゴキブリ駆除装置２０のように、ゴキブリ用定着材１０の上に置いて使用することができるが、ゴキブリ用定着材１０を用いずに単独で使用することもできる。
【００３９】
図６（Ｂ）および（Ｃ）に示すゴキブリ駆除装置２０Ｃ、２０Ｄでは、筐体２１を形成する台紙の表面の一部または全面を加工して粗面２７を設け、この台紙を用いて表面に、直接、粗面２７が現れるように筐体２１を形成し、即ち筐体２１自体に粗面２７を設けたものである。
したがって、このゴキブリ駆除装置２０Ｂでは、前述したゴキブリ駆除装置２０のように、ゴキブリ用定着材１０の上に置いて使用することができるが、ゴキブリ用定着材１０を用いずに単独で使用することもできる。
【００４０】
また、前述した各実施形態においては、ゴキブリ駆除装置２０として筐体２１を有するものを例示したが、図７に示すように、本発明のゴキブリ用定着材１０の上に、直接、誘引毒餌剤１３を配置し、ゴキブリ用定着材１０の上に居続けるゴキブリにこの誘引毒餌剤１３を喫食させて、死滅させ、駆除することも可能である。また、ゴキブリ用定着材１０にゴキブリ駆除用の薬剤等を直接処理して、直接ゴキブリを駆除する性質を備えるように構成してもよい。
【００４１】
さらに、粗面１２、２６、２７におけるざらざらの度合い｛例えば、凹凸の大きさ（目視、手触りなど）、触針式表面粗さ測定機による面粗度（Ｒ）｝は、ゴキブリの大きさに応じて適切なものを用いるのが望ましい。例えば、１０００μｍ以下の表面粗さが挙げられ、木板では１０〜５００μｍが目安として挙げられ、またサンドペーパなどの他の基材も略同程度の表面粗さで用いることができる。
例えば、体の大きなゴキブリに対しては凹凸が大きなものを用い、体が小さなゴキブリに対しては凹凸が小さなものを用いるのが効果的である。さらに、凹凸の大きさを一定とせずに、種々の大きさを混在させることにより、種々の大きさのゴキブリに対応することもできる。
【図面の簡単な説明】
【００４２】
【図１】（Ａ）は本発明のゴキブリ用定着材に係る実施形態を示す斜視図、（Ｂ）は拡大断面図である。
【図２】ゴキブリ用定着材の上にゴキブリ駆除装置を配置した状態を示す斜視図である。
【図３】本発明にかかるゴキブリ用定着材を使用した場合と使用しない場合を比較する実験の平面図である。
【図４】（Ａ）および（Ｂ）は、図３の実験の比較結果を示す表である。
【図５】図３の実験の比較結果を示す表である。
【図６】（Ａ）〜（Ｃ）は、ゴキブリ駆除装置の変形例を示す斜視図である。
【図７】ゴキブリ用定着材のうえにゴキブリの誘引毒餌剤を含んだ摂食物質を配置した状態を示す斜視図である。
【符号の説明】
【００４３】
１０  ゴキブリ用定着材
１２、２６，２７  粗面
１３  誘引毒餌剤
２０  ゴキブリ駆除装置（ゴキブリ駆除手段）
２５  入り口
２８  粘着部材
【図１】
0004970186.tif 000002
【図２】
0004970186.tif 000003
【図３】
0004970186.tif 000004
【図４】
0004970186.tif 000005
【図５】
0004970186.tif 000006
【図６】
0004970186.tif 000007
【図７】
0004970186.tif 000008